(57)【要約】【課題】電線カバーのガタ付きを抑える。【解決手段】電線カバー２０には、片持ち状に延出された撓み可能なロック部２２が設けられるとともに、第１ハウジング１０には、ロック部２２と嵌合可能なロック受け部１６が設けられている。電線カバー２０は、第１ハウジング１０の後面に沿って正規組付け位置へ向かってスライドされ、正規組付け位置に至ると、ロック部２２が弾性復帰してロック受け部２６に係止される。ロック部２２の自由端側におけるロック突部２２Ｄの前面には、ロック受け部１６と密嵌可能な第２テーパ面２２Ｅが形成されている。【選択図】  図６
2004199990.tif 000002
【特許請求の範囲】
【請求項１】
電線の導出面を有するハウジングと、前記導出面を覆うようにして前記ハウジングに組付けられる電線カバーとを備えたコネクタであって、
前記電線カバーは、前記導出面に沿う方向へスライドされることにより、前記導出面を覆う正規組付け位置にて係止可能とされているものにおいて、
前記電線カバーまたは前記ハウジングのいずれか一方には、片持ち状に延出された撓み可能なロック部が設けられるとともに、他方には、前記ロック部と嵌合可能なロック受け部が設けられ、
前記電線カバーが前記正規組付け位置へ向かう途中では、前記ロック部が弾性変形しつつ前記電線カバーのスライド動作を許容し、前記電線カバーが正規組付け位置に至ると、前記ロック部が弾性復帰して前記ロック受け部に係止可能とされており、
前記ロック部の自由端側における延出方向の前端面と前記ロック受け部の対向面のうち少なくともいずれか一方の面には、他方の面側へ向かって張り出すことで相互を当接させるガタ詰め部が設けられていることを特徴とするコネクタ。
【請求項２】
前記ガタ詰め部は、前記電線カバーが前記正規組付け位置へ向かう方向と逆方向へ移動させたときに、前記ロック部の係止を外れ方向に誘導するテーパ面よりなり、
前記電線レバーには、操作部の両端から一対のアーム部を延出させることで相手側ハウジングと係合可能なレバーが回動可能に取り付けられ、前記相手側ハウジングおよび前記ハウジングの両ハウジングの嵌合に際しては、前記レバーを前記アーム部のカム溝の入口が前記相手側ハウジングのカムピンに向けて開口する初期位置として前記相手側ハウジングと係合させ、その状態から前記レバーを回動完了位置へ向けて回動操作することにより前記レバーと前記相手側ハウジングとの間のカム作用によって前記両ハウジングを互いに引き寄せて正規嵌合状態とするようになっていることを特徴とする請求項１記載のコネクタ。
【請求項３】
前記ハウジングの外側面には、前記電線カバーが組付けられる際に前記アーム部の周縁部と干渉可能な干渉壁が設けられ、
前記アーム部の周縁部には、干渉部と、この干渉部より内側へ引込んだ位置に非干渉部が設けられており、
前記レバーが前記初期位置以外の位置にあるときには、前記干渉部が前記干渉壁に突き当たることで前記ハウジングに対する前記電線カバーの取付けを阻止する一方、前記レバーが前記初期位置にあるときには、前記非干渉部が前記干渉壁を受け入れることで前記ハウジングに対する前記電線カバーの取付けを可能としていることを特徴とする請求項２に記載のコネクタ。
【請求項４】
前記干渉壁は、前記ハウジングの外周面に隙間を保有しつつ形成され、レバー操作時に前記アーム部の拡開を規制可能な開き防止壁として構成されていることを特徴とする請求項３に記載のコネクタ。
【発明の詳細な説明】
【０００１】
【発明の属する技術分野】
本発明は、電線カバーを備えたコネクタに関する。
【０００２】
【従来の技術】
従来、レバーが組付けられている電線カバーをハウジングの後面、即ち電線が導出される面に組付けるようにしたレバー式コネクタが知られている。この種のレバー式コネクタは、ハウジングに対する電線カバーの組付けを、リブと溝との嵌合によって電線カバーをハウジングの後面に対して平行にスライドさせることで行っている。組付けられた電線カバーは、リブと溝との凹凸の係合によってハウジングからの離脱が規制される。
また、電線カバーが正規組付け位置に至ると、電線カバーの下端部に片持ち状に延出されたロック片のロック突部が、ハウジングの後面に設けられたロック受け部に撓み変形しつつ係合し、もって電線カバーがハウジングにロックされるようになっている。このような電線カバーを備えたレバー式コネクタに関する技術は、以下の特許文献１に開示されている。
【０００３】
【特許文献１】
特開２０００−３３１７４７公報
【０００４】
【発明が解決しようとする課題】
ところが、従来の技術では、ロック部が弾性復帰する際に弧状の軌跡を描くことに起因し、ロック受け部とロック突部とが密接状態で嵌合しないことがあり、電線カバーがガタ付いてしまう。
本発明は上記のような事情に基づいて完成されたものであって、電線カバーのガタ付きを抑えることを目的とする。
【０００５】
【課題を解決するための手段】
上記の目的を達成するための手段として、請求項１の発明は、電線の導出面を有するハウジングと、前記導出面を覆うようにして前記ハウジングに組付けられる電線カバーとを備えたコネクタであって、前記電線カバーは、前記導出面に沿う方向へスライドされることにより、前記導出面を覆う正規組付け位置にて係止可能とされているものにおいて、前記電線カバーまたは前記ハウジングのいずれか一方には、片持ち状に延出された撓み可能なロック部が設けられるとともに、他方には、前記ロック部と嵌合可能なロック受け部が設けられ、前記電線カバーが前記正規組付け位置へ向かう途中では、前記ロック部が弾性変形しつつ前記電線カバーのスライド動作を許容し、前記電線カバーが正規組付け位置に至ると、前記ロック部が弾性復帰して前記ロック受け部に係止可能とされており、前記ロック部の自由端側における延出方向の前端面と前記ロック受け部の対向面のうちいずれか一方の面には、他方の面側へ向かって張り出すことで相互を当接させるガタ詰め部が設けられている構成としたところに特徴を有する。
【０００６】
請求項２の発明は、請求項１に記載のものにおいて、前記ガタ詰め部は、前記電線カバーが前記正規組付け位置へ向かう方向と逆方向へ移動させたときに、前記ロック部の係止を外れ方向に誘導するテーパ面よりなり、前記電線カバーには、操作部の両端から一対のアーム部を延出させることで相手側ハウジングと係合可能なレバーが回動可能に取り付けられ、前記相手側ハウジングおよび前記ハウジングの両ハウジングの嵌合に際しては、前記レバーを前記アーム部のカム溝の入口が前記相手側ハウジングのカムピンに向けて開口する初期位置として前記相手側ハウジングと係合させ、その状態から前記レバーを回動完了位置へ向けて回動操作することにより前記レバーと前記相手側ハウジングとの間のカム作用によって前記両ハウジングを互いに引き寄せて正規嵌合状態とするようになっているところに特徴を有する。
【０００７】
請求項３の発明は、請求項２に記載のものにおいて、前記ハウジングの外側面には、前記電線カバーが組付けられる際に前記アーム部の周縁部と干渉可能な干渉壁が設けられ、前記アーム部の周縁部には、干渉部と、この干渉部より内側へ引込んだ位置に非干渉部が設けられており、前記レバーが前記初期位置以外の位置にあるときには、前記干渉部が前記干渉壁に突き当たることで前記ハウジングに対する前記電線カバーの取付けを阻止する一方、前記レバーが前記初期位置にあるときには、前記非干渉部が前記干渉壁を受け入れることで前記ハウジングに対する前記電線カバーの取付けを可能としているところに特徴を有する。
【０００８】
請求項４の発明は、請求項３に記載のものにおいて、前記干渉壁は、前記ハウジングの外周面に隙間を保有しつつ形成され、レバー操作時に前記アーム部の拡開を規制可能な開き防止壁として構成されているところに特徴を有する。
【０００９】
【発明の作用及び効果】
＜請求項１の発明＞
電線カバーの組付けに際しては、まず、電線カバーをハウジングに対してその導出面とほぼ直交する方向に当接させ、その後、電線カバーをハウジングの導出面と平行にスライドさせる。電線カバーが正規組付け位置に至るときには、撓んでいたロック部が弾性復帰してロック受け部に係止される。この際、ロック部の自由端側における延出方向の前端面とロック受け部における対向面のうちいずれか一方の面には、他方の面側へ向かって張り出すことで相互に当接可能なガタ詰め部が設けられているため、ロック部とロック受け部とが密嵌状態で係合することができ、電線カバーのガタ付きが抑えられる。
【００１０】
＜請求項２の発明＞
ガタ詰め部が、所謂セミロック構造を構成するテーパ面によって構成されているため、ハウジングから電線カバーが離脱される懸念があるものの、電線カバーは、両ハウジングを嵌合した後、レバーを介して相手側ハウジングに確実にロックされるため、かかる電線カバーの離脱を阻止できる。
【００１１】
＜請求項３の発明＞
レバーを初期位置にセットすれば、アーム部の非干渉部がハウジングの外壁面に設けられた干渉壁を受け入れてハウジングに対する電線カバーの組付けを可能とする一方、レバーを初期位置以外の位置にセットすれば、アーム部の干渉部が干渉壁に突き当たってその組付けを阻止するため、ハウジングに電線カバーが組付けられている状態は、レバーが初期位置にセットされていることの保障となる。そして、レバーが初期位置にあるときには、アーム部のカム溝の入口が相手側ハウジングのカムピンに向けて開口しており、レバーを回動させることが可能な状態となっているため、即座に相手側ハウジングとの嵌合作業に移行できる。
【００１２】
＜請求項４の発明＞
一般に、レバー式コネクタでは、レバーのアーム部に形成したカム溝と相手側コネクタのカムピンとを係合させた状態でレバーを回動させたときに、コネクタの嵌合抵抗によってカムピンがカム溝の内側壁を強く押圧するため、レバーのアーム部には開き方向に力が作用するようになる。しかるに、本発明では、ハウジングに開き防止壁が形成されることでレバーの拡開変形が防止されるようになっている。また、この開き防止壁は、干渉壁としての機能も有する。
【００１３】
【発明の実施の形態】
以下、本発明の一実施形態を図１乃至図１０によって説明する。
本実施形態のコネクタは、第１ハウジング１０（本発明のハウジング）と、第１ハウジング１０に組付けられる電線カバー２０と、電線カバー２０に装着されるレバー３０と、レバー３０によって第１ハウジング１０と嵌合される第２ハウジング４０（本発明の相手側ハウジング）とを備えて構成されている。なお、以下の説明において、上下方向については、第１ハウジング１０に対して電線カバー２０が組付けられる側を上側とし、前後方向については、後述するように、第１ハウジング１０に対して電線カバー２０が正規組付け位置へ向かって移動する側を後側とする。
【００１４】
図８の下図が示す第２ハウジング４０は、合成樹脂材料からなり、上方へ開放されたフード部４１を有し、両ハウジング１０，４０が嵌合する際には、フード部４１が第１ハウジング１０の嵌合筒部１１（後述）の内周に沿って下から嵌入される。第２ハウジング４０のフード部４１における左右両外側面には、円形のカムピン４２が突設されているとともに、カムピン４２の前後両側に上下方向に延びる一対のガイドリブ４３が形成されている。
【００１５】
第１ハウジング１０は、合成樹脂材料からなり、全体として前後方向に長い方形状をなし、図２に示すように、上下方向に貫通する複数のキャビティ１２Ａを有する端子収容部１２を備えている。各キャビティ１２Ａ内には、端子金具（図示せず）が収容され、図３に示すように、各端子金具に固着された電線５０が第１ハウジング１０の上面（本発明の導出面）から束になって導出されている。また、第１ハウジング１０は、端子収容部１２の側壁を取り囲むようにして下方に開放された形態の嵌合筒部１１を備え、その嵌合筒部１１の左右両外側面には、前後一対ずつの開き防止壁１３Ｂ，１３Ｃが、嵌合筒部１１の外側面と平行に且つその外側面との間にレバー３０のアーム部３１（後述）を収容可能な隙間を空けて設けられている。
前側および後側の各開き防止壁１３Ｂ，１３Ｃは、その上端縁にレバー３０のアーム部３１の外周縁形状と対応する形態の弧状部１３Ａを有している。そして、前側の開き防止壁１３Ｂは、その前端縁に沿った支持部１４Ａ、および下端縁に沿った支持部１４Ｂ等によって第１ハウジング１０の外側面に支持され、後側の開き防止壁１３は、その後端縁に沿った支持部１４Ｃ、および下端縁に沿った支持部１４Ｄによって第１ハウジング１０の外側面に支持されている。
【００１６】
また、第１ハウジング１０の上面には、その左右両側縁に沿った前後一対のリブ１５Ａ，１５Ｂが形成されている。このリブ１５Ａ，１５Ｂは断面がＬ字形をなし、上端が内向きに突出した形態となっている。前側のリブ１５Ａの形成領域は、前側の開き防止壁１３Ｂのほぼ上方の範囲であり、後側のリブ１５Ｂの形成領域は、後側の開き防止壁１３Ｃのほぼ上方の領域とされている。この前後両リブ１５Ａ，１５Ｂには、前方から電線カバー２０の溝２１Ａ，２１Ｂが嵌合されるようになっている。また、嵌合筒部１１における前後方向の両開き防止壁１３Ｂ，１３Ｃの間には、第２ハウジング４０のカムピン４２との干渉を回避するための切欠部１１Ａが、嵌合筒部１１の下端縁に開放された態様で形成されている。この切欠部１１Ａの前後両縁には、両ハウジング１０，４０の嵌合にともなって第２ハウジング４０の両ガイドリブ１５が摺接するようになっており、これにより両ハウジング１０，４０が正対する姿勢に保持され、こじりなどが回避されるようになっている。
【００１７】
そして、第１ハウジング１０の上面のうち前端寄りの位置には、電線カバー２０のロック部２２（後述）を係止可能なロック受け部１６が板厚方向に貫通して設けられている。ロック受け部１６の前後の対向壁は、夫々、上向きに傾斜する第１テーパ面１６Ａ，１６Ｂとなっており、ロック部２２を密嵌可能に形成されている。
【００１８】
また、図１に示す電線カバー２０は、合成樹脂材料からなり、第１ハウジング１０に対しその上面に被せるように組付けられ、組付け状態では、第１ハウジング１０の上面から導出されている複数の電線５０が電線カバー２０内で後方へ向かって曲げられるとともに、電線カバー２０の後面の導出口から後方へ、即ち第１ハウジング１０の上面とほぼ平行な方向へ導出されるようになっている。
電線カバー２０の左右両側壁には、その外側面における下端縁から外向きに開放された前後に２つずつの溝２１Ａ，２１Ｂが、第１ハウジングのリブ１５と係合可能に形成されている。電線カバー２０が、正規組付け位置よりも少し前方の位置（当接位置）において第１ハウジング１０の上面に当接されると、前側の溝２１Ａと後側の溝２１Ｂとが、夫々、前側のリブ１５Ａと後側のリブ１５Ｂの前方直近に位置し、この状態から電線カバー２０を後方へ移動させると、両溝２１Ａ，２１Ｂと両リブ１５とが嵌合を開始し、この嵌合による案内作用により、電線カバー２０が当接位置から正規組付け位置へスライドするようになっている。電線カバー２０の左右両側壁には、レバー３０を回動可能に支持するための軸部２３が、その電線カバー２０の側壁の前後方向略中央下端に位置して外向きに突出する形態で形成されている。また、電線カバー２０の前下がりに傾斜した前面壁には、図３の上図が示すように、レバー３０を回動完了位置にてロックするための係止突部２４が形成されている。
【００１９】
そして、電線カバー２０の左右両側壁の各下端縁には、前側の溝２１Ａの形成領域の前端付近を基端として前方へ向けて片持ち状に延出される左右一対ずつのロック片２２Ａが設けられ、各ロック片２２Ａは、その自由端側における延出方向の前端で連結片２２Ｂによって互いに連結されることにより、全体として門型形状をなすロック部２２を構成している。ロック部２２の上方には、図３に示すように、ロック部２２が撓み可能なように電線カバー２０の下端部を切り欠くことで撓み空間Ｑが形成されている。また、連結片２２Ｂの長さ方向の中央位置には、前方外側に突き出る形態の摘み部２２Ｃが設けられており、この摘み部２２Ｃを持ってロック部２２を持ち上げることでロック受け部１６との係止を解除可能なようにしてある。
【００２０】
ロック部２２における連結片２２Ｂの下面には、連結片２２Ｂの長さ方向に沿ってロック突部２２Ｄが突設されており、このロック突部２２Ｄのうちロック部２２の自由端側における延出方向の前面とその反対側の後面とは、第１ハウジング１０の第１テーパ面１６Ａ，１６Ｂと対応する形態で下向きに傾斜する第２テーパ面２２Ｅ，２２Ｆとなっている。ロック突部２２Ｄの後側の第２テーパ面２２Ｆは、電線カバー２０が正規組付け位置へ移動する方向に沿って傾斜しているため、電線カバー２０が正規組付け位置へ移動を開始した直後に第１ハウジング１０の上面前端における角部１８に突き当たっても、図５に示すように、この角部１８をスムーズに乗り越え可能なようになっている。
【００２１】
電線カバー２０が移動する途中では、ロック部２２が上方へ撓むことで電線カバー２０のスライド動作を可能としており、さらにスライド動作を継続させて正規組付け位置に至らしめると、図６に示すように、ロック部２２の弾性復帰にともないロック突部２５がロック受け部１６に嵌まり込み、もって電線カバー２０が第１ハウジング１０に係止される。本実施形態では、弾性復帰するロック部２２の自由端の回動軌跡に沿うようにして、第１ハウジング１０には前側の第１テーパ面１６Ａが設けられるとともに電線カバー２０には前側の第２テーパ面２２Ｅが設けられているため、ロック部２２とロック受け部１６との間で懸念されていた隙間の発生原因が解消され、電線カバー２０の前後方向への遊動が確実に規制されるようになっている。即ち、本実施形態において、前側の第１テーパ面１６Ａと前側の第２テーパ面２２Ｅとは、ともに、ガタ付きの発生を阻止するガタ詰め部として機能する。
【００２２】
また、図３の上図に示すレバー３０は、合成樹脂材料からなり、操作部３２と、この操作部３２の左右両端から板状に延出する一対のアーム部３１とから構成されている。アーム部３１には、軸部２３に嵌合される軸受部３１Ａが形成されるとともに、入口をアーム部３１の外周縁に開口させたカム溝３３が形成されている。レバー３０は、初期位置と回動完了位置との間で回動操作することが可能となっている。レバー３０が初期位置にある状態では、カム溝３３の入口が下向きに開口し、第１ハウジング１０と第２ハウジング４０とを浅く嵌合させるのにともなって第２ハウジング４０のカムピン４２をカム溝３３の入口に迎え入れることができるようになっている。レバー３０を初期位置から回動完了位置まで回動させると、カム溝３３とカムピン４２との係合により両ハウジング１０，４０が互いに引き寄せられて嵌合が進行し、回動完了位置まで回動されるとレバー３０の操作部３２が電線カバー２０の前部の係止突部２４にロックされる。
【００２３】
アーム部３１の外周縁側には、軸受部３１Ａと同心の円弧をなす周縁部３４が設けられており、この周縁部３４を境とした外側領域は、開き防止壁１３Ｂ，１３Ｃと第１ハウジング１０との隙間に進入可能な肉薄の嵌入部３５となっている。嵌入部３５の延設方向の途中には、カム溝３３の入口が切り欠きによって開口されている。周縁部３４のうちレバー３０が初期位置から回動完了位置へ向かう回動方向の後端側は、電線カバー２０に組付けられる際に開き防止壁１３Ｂ，１３Ｃと干渉可能な干渉部３４Ａとなっており、周縁部３４のうち前記回動方向の前端側は、干渉部３４Ａより内側へ引込むとともに干渉部３４Ａと段状に連続する態様の非干渉部３４Ｂとなっている。アーム部３１において干渉部３４Ａ外側領域の嵌入部３５は、非干渉部３４Ｂ外側領域の嵌入部３５よりも幅狭に形成されることとなる。
【００２４】
ここで、レバー３０を初期位置にセットしておき、その状態で電線カバー２０を第１ハウジング１０の後面における当接位置に対して上方から組付けると、アーム部３１における非干渉部３４Ｂ外側領域の嵌入部３５が第１ハウジング１０と前壁の開き防止壁１３Ｂとの隙間に嵌入し、且つその嵌入部３５のうち前側の開き防止壁１３Ｂの隙間に嵌入した部分は、電線カバー２０が当接位置から正規組付け位置までスライドする過程において、前側の開き防止壁１３Ｂの形成領域内のみを移動するようになっている。したがって、電線カバー２０を当接位置に組付ける過程と、電線カバー２０を当接位置から正規組付け位置までスライドさせる過程のいずれにおいても、アーム部３１の非干渉部３４Ｂが前側の開き防止壁１３Ｂや支持部１４Ａ，１４Ｂと干渉することはない。また、電線カバー２０が当接位置にある状態では、図４に示すように、後側の開き防止壁１３Ｃと第１ハウジング１０との隙間には、嵌入部３５は嵌入されていないが、電線カバー２０が正規組付け位置に至ると、図６に示すように、非干渉部３４Ｂ外側領域の嵌入部３５が後側の開き防止壁１３Ｃと第一ハウジング１０との隙間に嵌入される。つまり、この状態では、嵌入部３５が前後両開き防止壁１３Ｂ，１３Ｃの隙間に嵌入され、アーム部３１の開きが確実に阻止されるようになっている。
【００２５】
一方、図７に示すように、レバー３０を初期位置以外の位置にセットした場合において、電線カバー２０を第１ハウジング１０の後面における当接位置に組付けようとすると、アーム部３１における干渉部３４Ａ外側領域の嵌入部３５が第１ハウジング１０と前側の開き防止壁１３Ｂとの隙間に嵌入するものの、組付け途中で干渉部３４Ａが開き防止壁１３Ｂの弧状部１３Ａ等と突き当たるため、その嵌入深さは、上記した非干渉部３４Ｂ外側領域の嵌入部３５の場合よりも浅くなる。この状態で、電線カバー２０は、第１ハウジング１０から離間され、当接位置まで至らない。つまり、本実施形態は、レバー３０を初期位置にセットしない限り、電線カバー２０を第１ハウジング１０に組付けることができない構成となっており、前側の開き防止壁１３Ｂは、第１ハウジング１０に対する電線カバー２０の取付けを阻止する干渉壁として機能する。
なお、アーム部３１には、第１弾性係止片３１Ｂと第２弾性係止片３１Ｃとが形成されており、各弾性係止片３１Ｂ，３１Ｃは、いずれも、レバー３０の回動方向と交差する略径方向外向きに片持ち状に延出し、且つレバー３０の回動中心軸と略平行な方向へ外向きに弾性撓み可能とされている。レバー３０が初期位置にあり、且つ第１ハウジング１０に組付けられる前の状態では、第１弾性係止片３１Ｂが電線カバー２０に設けられた第１係止部（図示せず）と係止可能となっている。また、レバー３０が初期位置にあり、且つ第１ハウジング１０に組付けられた後の状態では、第２弾性係止片３１Ｃが電線カバー２０に設けられた第２係止部（図示せず）と係止可能となっている。即ち、いずれの場合もレバー３０が初期位置に保持されるようになっている。
【００２６】
次に、本実施形態の作用について説明する。
電線カバー２０を組付けるには、まずレバー３０を初期位置にセットした状態として、図４に示すように、電線カバー２０を第１ハウジング１０に対してその後面と直交する方向に組付けて当接位置とする。これにともない、アーム部３１における非干渉部３４Ｂ外側領域の嵌入部３５が前側の開き防止壁１３と第１ハウジング１０との隙間に嵌入される。次に、この当接位置の電線カバー２０を後方へ向けて移動させる。すると、図５に示すように、リブ１５Ａ，１５Ｂと溝２１Ａ，２１Ｂとが嵌合を開始し、このリブ１５Ａ，１５Ｂと溝２１Ａ，２１Ｂとの嵌合により案内されつつ電線カバー２０が第１ハウジング１０の後面と平行にスライドし、正規組付け位置に至る。この間、ロック突部２２Ｄは、図５に示すように、ロック片２２Ａを撓ませつつ第１ハウジング１０の上面を摺動する。電線カバー２０が正規組付け位置に至ると同時に、ロック突部２２Ｄはロック受け部１６に嵌入される。この状態で、ロック突部２２Ｄとロック受け部１６とは、図６に示すように、密嵌状態で嵌合するため、電線カバー２０は、ハウジング１０に対して前後方向にガタ付くことなく確実に係止される。また、アーム部３１における非干渉部３４Ｂ外側領域の嵌入部３５は、前側の開き防止壁１３Ｂの隙間のみに嵌入する状態から、前後双方の開き防止壁１３Ｂ，１３Ｃの隙間に嵌入する状態へと移行する。かくして、第１ハウジング１０側の組付けが完了する。
【００２７】
次に、第１および第２の両ハウジング１０，４０を嵌合させるには、図８乃至図１０に示すように、まず第１ハウジング１０に対して相手側となる第２ハウジング４０を浅く嵌合させ、カム溝３３の入口にカムピン４２を嵌入させる。続いて操作部３２を摘んでレバー３０を回動完了位置へ向けて回動させれば、両ハウジング１０，４０の嵌合が完了する。
【００２８】
以上のように本実施形態においては、ロック部２２の自由端側における延出方向の前端に位置するロック突部２２Ｄの前面が、所謂セミロック構造を構成するような下向きに傾斜する第２テーパ面２２Ｅとなっており、且つ、ロック受け部１６の前側の対向面が、第２テーパ面２２Ｅと対応する形態の第１テーパ面１６Ａとなっているため、電線カバー２０が第１ハウジング１０に対して前後方向に遊動することなく確実に係止されるようになる。その結果、電線カバー２０のガタ付きが抑えられる。
【００２９】
また、前記両テーパ面２２Ｅ，１６Ａが、電線カバー２０が正規組付け位置へ向かう方向と逆方向へ移動させたときに、ロック部２２の係止を外れ方向に誘導するような形態となっていることに起因し、第１ハウジング１０から電線カバー２０が離脱する懸念があるものの、電線カバー２０は、レバー３０によって第２ハウジング４０に確実にロックされるため、両ハウジング１０，４０を嵌合した後では、かかる電線カバー２０の離脱を確実に阻止できる。
【００３０】
また、レバー３０を初期位置にセットすれば、アーム部３１における非干渉部３４Ｂ外側領域の嵌入部３５が前側の開き防止壁１３Ｂと第１ハウジング１０との隙間に嵌入され、前側の開き防止壁１３Ｂと干渉することなく電線カバー２０が第１ハウジング１０に組付けられる一方、レバー３０を初期位置以外の位置にセットすれば、アーム部３１の干渉部３４Ａが前側の開き防止壁１３Ｂに突き当たってその組付けを阻止する。つまり、第１ハウジング１０に電線カバー２０が組付けられている状態は、レバー３０が初期位置にセットされていることの保障となる。よって、その後、相手側となる第２ハウジング４０との嵌合作業に迅速に移行できる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３２】
（１）上記実施形態では、コネクタとしてレバー式コネクタを用いたが、レバーを有しないコネクタに適用してもよい。例えば、第１ハウジングまたは第２ハウジングのいずれか一方に、他方側へ延出されるロックアームを設けるとともに、他方に、このロックアームと係合可能な被ロック部を設けた態様であっても構わない。
【００３３】
（２）ロック受け部の第１テーパ面は、前側のみで後側はテーパ面でなくてもよい。また、ロック部の第２テーパ面は、前側のみで後側はテーパ面でなくてもよい。さらに、ロック部の前側の面が第１テーパ面であれば、相手側となるロック受け部の前側の面はテーパ面でなくてもよいし、逆に、ロック受け部の前側の面が第２テーパ面であれば、相手側となるロック部の前側の面はテーパ面でなくてもよい。要は、ロック部の自由端側における延出方向の前端面とロック受け部における対向面のうち少なくともいずれか一方の面が、他方の面側へ向かって張り出すことで相互を当接可能とするガタ詰め部を構成していればよい。
【００３４】
（３）ロック部が第１ハウジング側に設けられ、ロック受け部が電線カバー側に設けられていても構わない。例えば、ロック部が、第１ハウジングの上部前側で下方へ撓み可能に片持ち状に形成されるロック片と、そのロック片の自由端側で上方へ突き出る形態のロック突部とからなり、ロック受け部が、電線カバー側にてロック部と対応するように形成されていてもよい。
（４）リブを電線カバーに設けるとともに、溝を第１ハウジングに設けてもよい。
【図面の簡単な説明】
【図１】本発明の一実施形態のコネクタに係る電線カバーの底面図
【図２】第１ハウジングの平面図
【図３】電線カバーが第１ハウジングに組付けられる前の状態を示す側面図
【図４】電線カバーが当接位置に組付けられた状態を示す側面図
【図５】電線カバーが正規組付け位置へ移動する途中の状態を示す側面図
【図６】電線カバーが正規組付け位置に達した状態を示す要部破断した側面図
【図７】レバーが初期位置以外の位置にあるときに組付けようとした状態を示す側面図
【図８】両ハウジングが嵌合する前の状態を示す側面図
【図９】両ハウジングが嵌合する途中の状態を示す側面図
【図１０】両ハウジングが嵌合した状態を示す側面図
【符号の説明】
１０…第１ハウジング（ハウジング）
１３Ｂ…前側の開き防止壁
１３Ｃ…後側の開き防止壁
１６…ロック受け部
１６Ａ…第１テーパ面
２０…電線カバー
２２…ロック部
２２Ｄ…ロック突部
２２Ｅ…第２テーパ面
３０…レバー
３１…アーム部
３２…操作部
３３…カム溝
４０…第２ハウジング（相手側ハウジング）
４２…カムピン
【図１】
2004199990.tif 000003
【図２】
2004199990.tif 000004
【図３】
2004199990.tif 000005
【図４】
2004199990.tif 000006
【図５】
2004199990.tif 000007
【図６】
2004199990.tif 000008
【図７】
2004199990.tif 000009
【図８】
2004199990.tif 000010
【図９】
2004199990.tif 000011
【図１０】
2004199990.tif 000012